(57)【要約】【課題】高所作業用安全帯のフック付きロープの紫外線による性能の低下の度合いを簡単に確認する。【解決手段】安全帯の主ロープ本体１２ａに、紫外線の累積受光量に応じて無色から有色へと変色する紫外線変色物質を練り込んだリング状樹脂成形品からなるインジケータ１２ｃを取り付ける。同様に、補助ロープ本体に紫外線の累積受光量に応じて有色から無色へと変色する紫外線変色物質を塗布したテープからなるインジケータを取り付ける。これらの色の変化を目視することにより、主ロープおよび補助ロープに対する紫外線の累積受光量を知ることができるため、安全帯の紫外線による劣化の度合いが容易に確認可能となる。【選択図】図２
2007209387.tif 000002
【特許請求の範囲】
【請求項１】
安全帯本体と、安全帯本体に一端が連結されたフック付きロープとを有する高所作業用安全帯において、前記フック付きロープは、紫外線の累積受光量を色の変化により表示するインジケータを備えることを特徴とする高所作業用安全帯。
【請求項２】
上記インジケータの少なくとも一は、紫外線の累積受光量に応じて不可逆的に変色する紫外線変色物質を練り込んだ樹脂成形品であって、これを上記フック付きロープに固定してなる請求項１に記載の高所作業用安全帯。
【請求項３】
上記インジケータの少なくとも一は、上記紫外線変色物質を含む塗料を塗布したテープであって、これを上記フック付きロープに固定してなる請求項１または２に記載の高所作業用安全帯。
【発明の詳細な説明】
【技術分野】
【０００１】
この発明は、高所での作業を安全ならしめる高所作業用安全帯に関する。
【背景技術】
【０００２】
建築現場等の高所で作業を行う場合には、作業者は高所作業用安全帯を装着することが義務付けられている。
この高所作業用安全帯は、特許文献１および２に記載されているように、ウエストベルト型あるいはハーネス型の安全帯本体と、安全帯本体に一端が連結し他端にフックが連結されたフック付きロープとからなる。
これを使用する際には、フック付きロープのフックを建築物や安全柵等に掛けて固定することにより、万が一足場を踏み外すなどした場合にも、ロープにより体が支持され、墜落が防止されるようになっている。
【０００３】
このように、ロープは作業者が落下した場合に唯一の支えとなるものであるから、破断等しないように安全性の確保に万全の注意を払う必要がある。
ところが、屋外での作業においては、常時日光がロープに照射されているため、日光中の紫外線によりロープを構成する合成樹脂繊維が経時的に劣化することが免れえない。
そのため、紫外線の受光によるロープの性能が一定限度以上に低下すると、安全帯全体を廃棄するかロープだけを交換する必要がある。
しかし、従来の高所作業用安全帯においては、ロープの性能の低下の度合いを確認するための手段が講じられていないため、安全帯の廃棄またはロープの交換すべき時期が不明確であり、改善の余地があった。
【特許文献１】特開２００１−１５４５８５号公報
【特許文献２】特開２００４−１４１４８０号公報
【発明の開示】
【発明が解決しようとする課題】
【０００４】
そこでこの発明は、高所作業用安全帯のフック付きロープの紫外線による性能の低下の度合いを簡単に確認できる手段を提供することをその課題とする。
【課題を解決するための手段】
【０００５】
上記した課題を解決するため、この発明にかかる高所作業用安全帯においては、フック付きロープに、紫外線の累積受光量を色の変化により表示するインジケータを備えることとしたのである。
このようにすれば、インジケータを目視し、その色の変化を確認することにより、紫外線の受光に伴うロープの性能の低下の度合いを簡単に知ることができる。
【０００６】
このようなインジケータとしては、紫外線の累積受光量に応じて不可逆的に変色する紫外線変色物質を練り込んだ樹脂成形品や、紫外線変色物質を含む塗料を塗布したテープを用いるのが安価であり、目視も容易であるため好ましい。
樹脂成形品のインジケータのロープへの固定は、これをロープに押し当てた状態で、ロープに通した透明または半透明の熱収縮性チューブで包み込み、これを加熱して収縮させて行うのが簡易である。
ここで、樹脂成形品はリング状に形成すると、ロープに通すことで脱落を防ぎ、また出っ張らず作業の邪魔にならないためより好ましい。
テープのインジケータのロープへの固定は、これをロープに巻きつけて接着するか、上記した熱収縮性チューブにより行うのが簡易である。
【発明の効果】
【０００７】
フック付きロープに、紫外線の累積受光量を色の変化により表示するインジケータを備えたことにより、紫外線の受光に伴うロープの性能の低下の度合いが簡単にわかる効果を得ることができる。
【発明を実施するための最良の形態】
【０００８】
以下、図面を参照しつつこの発明の実施の形態について説明する。
【０００９】
図１のように実施形態にかかる高所作業用安全帯１０は、ウエストベルト型の安全帯本体１１と、主ロープ１２と、補助ロープ１３と、シンブル１４とからなる。以下に、安全帯本体、主ロープおよび補助ロープ、シンブル１４の順に詳述する。
【００１０】
まず、図示のように、安全帯本体１１は、ナイロン等の合成樹脂繊維を編製してなるフレキシブルな胴ベルト１１ａと、その付属物品１１ｂ〜１１ｈとからなる。
胴ベルト１１ａには、その一端に金属製のバックル１１ｂが取り付けられており、他端に金属性の先端止め１１ｃが取り付けられている。
安全帯１０を使用する際には、胴ベルト１１ａを作業者の胴に巻きつけた状態で、このバックル１１ｂに先端止め１１ｃから胴ベルト１１ａの一部を通し、締め付けて胴に固定する。
【００１１】
また、図示のように、胴ベルト１１ａの両端間には、並列するベルト挿通孔を有する金属製のリング止め１１ｄが２つ取り付けられている。
それぞれのリング止め１１ｄのベルト挿通孔には、胴ベルト１１ａの一部が折り曲げた状態で裏面側から表面側に向けて挿通されており、この表面側に突出した胴ベルト１１ａの折り曲げ部分には、ロープ挿通孔を有する金属製のリング１１ｅが取り付けられている。
図示のように、リング１１ｅは、バックル１１ｂ側のリング止め１１ｄから突出する胴ベルトの折り曲げ部分と、先端止め１１ｃ側のリング止め１１ｄから突出する胴ベルトの折り曲げ部分に１つずつ取り付けられている。
そして、後述するように、バックル１１ｂ側のリング１１ｅには、主ロープ１２の一端が連結されており、先端止め１１ｃ側のリング１１ｅには、補助ロープ１３の一端が連結されている。
安全帯１０を使用する際には、それぞれのリング止め１１ｄをスライドさせることにより、胴ベルト１１ａに対する主ロープ１２および補助ロープ１３の位置を作業の邪魔にならないように適宜移動させ、その位置で固定できるようになっている。
【００１２】
さらに、図示のように、バックル１１ｂの付近には、バックル１１ｂに通した胴ベルト１１ａの端部が暴れないように挿通支持しておくための長環状のベルト通し１１ｆが取り付けられている。
また、主ロープ１２が連結されたリング止め１１ｄ付近には、主ロープ１２を使わない際にそのフック１２ｂを掛けておく鉤状のフック掛け１１ｇが取り付けられている。
また、補助ロープ１３が連結されたリング止め１１ｄ付近には、補助ロープ１３を使わない際に作業の邪魔にならないように収納するナイロン製のロープ収納袋１１ｈが取り付けられている。
【００１３】
次に、図示のように、主ロープ１２および補助ロープ１３は、ナイロン等の合成樹脂繊維束からなるストランドを３つ撚りしたフレキシブルな主ロープ本体１２ａ、補助ロープ本体１３ａと、フック１２ｂ、１３ｂと、インジケータ１２ｃ、１３ｃとからなる。
安全帯１０使用の際には、通常の作業時には、主ロープ１２のフック１２ｂを建築物や安全柵等に係合させて固定して作業者の墜落を防止し、作業位置の変更等により主ロープ１２のフック１２ｂの掛け替えが必要となった場合には、非連結状態とならないように、補助ロープ１３のフック１３ｂを建築物等に掛けて固定し、作業者の墜落を防止する。
【００１４】
図示のように、金属製のフック１２ｂ、１３ｂは、先端が鉤状に形成されたフック本体と、フック本体の腹側に回動可能に取り付けられ、フック本体の鉤状部分を内側から開閉する開閉レバーと、フック本体の背側に回動可能に取り付けられ、開閉レバーの鉤状部分閉塞状態を保持する安全レバーとからなる。
フック本体の後端には環状部が形成されており、この環状部には、主ロープ本体１２ａ、補助ロープ本体１３ａの一端が通された後解かれ、解いたストランドを環状に折り返してロープ本体１２ａ、１３ａの網目の間に複数回差し込んでさつま編みとすることにより連結されている。
ロープ本体１２ａ、１３ａの他端も同様にして、リング１１ｅのロープ挿通孔に通され、さつま編みすることにより連結されている。
【００１５】
また、ロープ本体１２ａ、１３ａとフック１２ｂ、１３ｂおよびリング１１ｅの連結部分には、主ロープ、補助ロープの摩耗を防ぐために、図４（ａ）のように平面視全体形状がＵ字型で、図４（ｂ）のように縦断面形状が内側に凸のＵ字型のシンブル１４を介在させている。
【００１６】
図示のように、インジケータ１２ｃ、１３ｃはロープ本体１２ａ、１３ａのさつま編みの終端付近に取り付けられている。以下、それぞれについて詳述する。
【００１７】
図２のように、インジケータ１２ｃは、モニタ１２ｄと、カバー１２ｅとからなる。
まずモニタ１２ｄは、図２（ａ）のように、リング状の樹脂成形品であって、その原材料となる合成樹脂には、紫外線の累積受光量に応じて無色から有色へ不可逆的に変色する公知の紫外線変色物質が練り込まれている。
図２（ｂ）のように、このモニタ１２ｄは、主ロープ本体１２ａに通された後に、透明または半透明の熱収縮性チューブで包み込み、これを加熱して収縮させることにより固定される。
このようにチューブを収縮させてなるカバー１２ｅは、モニタ１２ｄを覆い保護する保護膜ともなる。
安全帯１０が屋外での作業に繰り返し使用されることにより、主ロープに照射された紫外線の量が次第に蓄積されてゆく。
これに比例して、図２（ｃ）のように、モニタ１２ｄの色が濃くなるため、主ロープ１２の紫外線による性能の劣化の度合いを目視で簡単に確認することができる。
【００１８】
図３のように、インジケータ１３ｃは、モニタ１３ｄと、カバー１３ｅとからなる。
まずモニタ１３ｄは、図３（ａ）のように、樹脂テープ表面に、紫外線の累積受光量に応じて有色から無色へと不可逆的に変色する公知の紫外線変色物質が含まれた塗料が塗布されることで形成されている。
これを図３（ｂ）のように塗料が塗られた側を表にして補助ロープ本体１３ａに巻きつけ後に、透明または半透明の熱収縮性チューブで包み込み、これを加熱して収縮させることにより固定される。
このようにチューブを収縮させてなるカバー１３ｅは、モニタ１３ｄを覆い保護する保護膜ともなる。
そして、インジケータ１２ｃと同様に、紫外線の累積受光量に比例して図３（ｃ）のように、モニタ１３ｄの色が薄くなるため、補助ロープ１３の紫外線による性能の劣化の度合いを目視で簡単に確認することができる。
【００１９】
ここで、これらモニタ１２ｄ、１３ｄの紫外線の受光量は、カバー１２ｅ、１３ｅの素材を適宜選択して透光性を変化させることにより調節可能であるため、変色に要する期間と、主ロープ１２、補助ロープ１３の紫外線の累積受光による耐用限度の時期とが合致するように調節しておくものとする。
【００２０】
なお、インジケータの個数および取り付け位置はこの実施形態に限られず任意である。また、インジケータのロープ本体１２ａ、１３ａへの取り付けの方法も特に限られず、接着剤を用いるなどしてもよい。
【００２１】
また、この実施形態では、インジケータ１２ｃ、１３ｃを合成樹脂製リングやテープから形成したが形状および態様はこれらに限られない。
例えば、ロープ本体１２ａ、１３ａとフック１２ｂ、１３ｂおよびリング１１ｅとの間に介在する図４に示すようなシンブル１４に上記紫外線変色物質を塗布したり、練り込んだりして、シンブル１４にインジケータとしての役割を兼ねさせてもよい。
このようにすれば、安全帯の部品点数の増加を抑えることができる。
同様に、フック１２ａ、１２ｂに紫外線変色物質を塗布し、インジケータとしての役割を兼ねさせても構わない。
また、図５のように、ロープ本体１２ａ、１３ａの各ストランドの外面に表出する素線の一に上記紫外線変色物質により染色したものを用いることにより、ロープ本体１２ａ、１３ａにインジケータとしての役割を兼ねさせてもよい。
このようにすれば、主ロープ１２、補助ロープ１３の全範囲にわたって紫外線の累積受光量を簡単にチェックすることができる。
同様に、ロープ本体１２ａ、１３ａをチューブ状のフレキシブルな保護カバーで覆い、その保護カバーを上記紫外線変色物質で染色等してもよい。
この場合、保護カバーが紫外線を一定程度遮るために、ロープ本体１２ａ、１３ａの劣化の進行を遅らせることもできる。
【００２２】
また、インジケータの素材も特に合成樹脂に限定されることはなく、例えば金属リングや木製リングの表面に上記紫外線変色物質を塗布したものを、インジケータ１２ｃ、１３ｃと同様にしてロープ本体１２ａ、１３ａ上に固定しても構わない。
【００２３】
また、この実施形態では、インジケータ１２ｃ、１３ｃを有色から無色あるいは、無色から有色へと変化するようにしているが、これに限定されず、例えば色調や色相が変化してもよい。
【００２４】
なお、この実施形態では安全帯本体１１を胴ベルト１１ａとその付属物品１１ｂ〜１１ｈとからなるウエストベルト型としたがこれに限られず、一対の肩掛けベルトと一対の腿掛けベルトとを有するハーネス型など任意の形状を採用することができる。
また、ロープを主ロープ１２、補助ロープ１３の２本としたがこれに限られない。さらに、胴ベルト１１ａの付属物品１１ｂ〜１１ｈは適宜省略可能である。
【図面の簡単な説明】
【００２５】
【図１】実施形態にかかる高所作業用安全帯の全体図
【図２】（ａ）は一のインジケータを構成するモニタの斜視図、（ｂ）（ｃ）は図１のＡ囲み線に囲まれた部分の拡大図
【図３】（ａ）は他のインジケータを構成するモニタの斜視図、（ｂ）（ｃ）は図１のＢ囲み線に囲まれた部分の拡大図
【図４】（ａ）はシンブルの平面図、（ｂ）は（ａ）の矢印断面図
【図５】インジケータのさらに他の例を示す図
【符号の説明】
【００２６】
１０  高所作業用安全帯
１１  安全帯本体
１１ａ  胴ベルト
１１ｂ  バックル
１１ｃ  先端止め
１１ｄ  リング止め
１１ｅ  リング
１１ｆ  ベルト通し
１１ｇ  フック掛け
１１ｈ  ロープ収納袋
１２  主ロープ
１２ａ  主ロープ本体
１２ｂ  フック
１２ｃ  インジケータ
１２ｄ  モニタ
１２ｅ  カバー
１３  補助ロープ
１３ａ  補助ロープ本体
１３ｂ  フック
１３ｃ  インジケータ
１３ｄ  モニタ
１３ｅ  カバー
１４  シンブル
【図１】
2007209387.tif 000003
【図２】
2007209387.tif 000004
【図３】
2007209387.tif 000005
【図４】
2007209387.tif 000006
【図５】
2007209387.tif 000007